(57)【特許請求の範囲】
【請求項１】
少なくとも２つの、又はちょうど２つの担体部分（３，４，５）の正しい組み合わせをチェックするのに役立つセキュリティ要素（１）の真偽情報アイテム（２）を製造するための方法であって、前記セキュリティ要素（１）は、１つの第１の部分情報アイテム（７）を有する第１の部分要素（６）と、第２の部分情報アイテム（９）を有する第２の部分要素（８）とを少なくとも備え、前記第１の部分要素（６）は第１の担体部分（３）に割り当てることができ、前記第２の部分要素（８）は第２の担体部分（４）に割り当てることができ、前記２つの部分要素（６，８）は、スタート位置から、前記２つの部分要素（６，８）が重なるチェック位置へと動かすことができ、前記チェック位置で前記第１の部分情報アイテム（７）と前記第２の部分情報アイテム（９）が前記真偽情報アイテム（２）を表す前記方法において、
整列工程において、前記２つの部分要素（６，８）を上下に配置させて互いに対し整列させ、
固定工程において、前記２つの部分要素（６，８）を互いに対しそれらの整列させた位置にて固定し、
処理工程において、少なくとも１つの処理手段（Ｂ）により電磁波（Ｗ１，Ｗ２，Ｗ３，Ｗ４）を供給して、この電磁波（Ｗ１，Ｗ２，Ｗ３，Ｗ４）を用いて前記第１の部分情報アイテム（７）と前記第２の部分情報アイテム（９）を製造し、前記２つの部分要素の一方（６）は前記電磁波で直接的に処理され、前記２つの部分要素の他方（８）は前記一方の部分要素（６）を通して処理されることを特徴とする方法。
【請求項２】
両部分要素（６，８）は、前記処理手段（Ｂ）によって排他的且つ即時に処理されることを特徴とする、請求項１に記載の方法。
【請求項３】
前記処理手段（Ｂ）に近い方の前記部分要素（６）は、少なくとも前記処理の前、前記電磁波（Ｗ１，Ｗ２，Ｗ３，Ｗ４）が透過する又は電磁波に対して透明であることを特徴とする、請求項１又は２に記載の方法。
【請求項４】
前記電磁波（Ｗ１，Ｗ２，Ｗ３，Ｗ４）の少なくとも１つの処理パラメータは、前記第１の部分要素（６）又は前記第２の部分要素（８）のいずれかを選択的に処理するように変えられることを特徴とする、請求項１〜３のいずれかに記載の方法。
【請求項５】
前記第１の部分情報アイテム（７）は前記第２の部分情報アイテム（９）とは異なることを特徴とする、請求項１〜４のいずれかに記載の方法。
【請求項６】
前記電磁波（Ｗ１，Ｗ２，Ｗ３，Ｗ４）の少なくとも１つの処理パラメータは、前記第１の部分要素（６）及び／又は前記第２の部分要素（８）を処理できるように変えられることを特徴とする、請求項１〜５のいずれかに記載の方法。
【請求項７】
前記処理パラメータが強度であり、前記処理手段（Ｂ）が提供する電磁波（Ｗ１，Ｗ２，Ｗ３，Ｗ４）の強度を変えて、その結果、前記部分要素（６，８）のそれぞれを標的にでき、
及び／又は
前記処理パラメータが焦点位置であり、前記処理手段（Ｂ）によって提供される電磁波（Ｗ１，Ｗ２，Ｗ３，Ｗ４）の焦点位置を変えて、その結果、前記部分要素（６，８）のそれぞれを標的にでき、
及び／又は
前記処理パラメータが波長であり、前記処理手段（Ｂ）によって提供される電磁波（Ｗ１，Ｗ２，Ｗ３，Ｗ４）の波長を変えて、その結果、前記部分要素（６，８）のそれぞれを標的にでき、
及び／又は
前記処理パラメータがパルスエネルギー及び／又はレーザー出力であり、前記処理手段（Ｂ）によって提供される電磁波（Ｗ１，Ｗ２，Ｗ３，Ｗ４）のパルスエネルギー及び／又はレーザー出力を変えて、その結果、前記部分要素（６，８）のそれぞれを標的にできることを特徴とする、請求項４〜６のいずれかに記載の方法。
【請求項８】
前記第１の部分要素（６）の上側（２２）と、前記第２の部分要素（８）の下側（２３）との間の各位置が処理可能なように、前記処理パラメータを変化させることを特徴とする、請求項４〜７のいずれかに記載の方法。
【請求項９】
前記部分情報アイテムの製造は、一回の固定にて行われ、この固定で、前記第１の部分要素（６）と前記第２の部分要素（８）の両方が処理されることを特徴する、請求項１〜８のいずれかに記載の方法。
【請求項１０】
前記第１の部分情報アイテム（７）の拡張領域及び前記第２の部分情報アイテム（９）の拡張領域を、前記各部分要素（６，８）の表面に平行に、前記処理手段（Ｂ）が体系的に横断し、前記少なくとも１つの処理パラメータがこの横断時に変えられ；
又は
前記第１の部分情報アイテム（７）の拡張領域及び前記第２の部分情報アイテム（９）の拡張領域を、少なくとも２つのパスで、前記処理手段（Ｂ）が体系的に横断し、前記少なくとも１つの処理パラメータがこれらパスのそれぞれに対して変えられることを特徴とする、請求項１〜９のいずれかに記載の方法。
【請求項１１】
ちょうど１つの処理手段（Ｂ）が存在し、この処理手段の処理パラメータを設定できることを特徴とする、請求項１〜１０のいずれかに記載の方法。
【請求項１２】
少なくとも１つの第１の処理手段（Ｂ）と少なくとも１つの第２の処理手段（Ｂ）とが存在し、これらは、異なる処理パラメータを有する電磁波を提供することを特徴とする、請求項１〜１１のいずれかに記載の方法。
【請求項１３】
前記第１の部分情報アイテム（７）の拡張領域及び前記第２の部分情報アイテム（９）の拡張領域は、前記各部分要素（６，８）の表面に平行に１つのパスで前記処理手段（Ｂ）が体系的に横断し、前記各処理パラメータが変えられ、
又は、前記第１の部分情報アイテム（７）の拡張領域及び前記第２の部分情報アイテム（９）の拡張領域を、前記各部分要素（６，８）の表面に平行に少なくとも２つのパスで前記処理手段（Ｂ）が体系的に横断し、前記処理手段（Ｂ）の一方は、前記１つのパス中、処理パラメータを固定して又は変化させて作動され、前記処理手段（Ｂ）の他方はこのパス中動作を停止されることを特徴とする、請求項１２に記載の方法。
【請求項１４】
前記２つの部分要素（６，８）は、前記処理工程中、互いと直接表面接触していることを特徴とする、請求項１〜１３のいずれかに記載の方法。
【請求項１５】
前記整列工程前又は整列工程中に、前記２つの部分要素（６，８）の間に分離フィルム（２４）が挿入されることを特徴とする、請求項１〜１３のいずれかに記載の方法。
【請求項１６】
前記分離フィルム（２４）は、前記第１の部分要素（６）に面する側及び／又は前記第２の部分要素（８）に面する側に接着層が設けられ、
及び／又は、前記分離フィルム（２４）は、インク用のキャリアとして働き、インクは、前記処理手段（Ｂ）を用いた処理を通して前記分離フィルムから剥離され、前記第１の部分要素（６）及び／又は前記第２の部分要素（８）に付着することを特徴とする、請求項１５に記載の方法。
【請求項１７】
前記処理手段（Ｂ）を用いた処理中、前記第１の部分要素（６）と前記第２の部分要素（８）との間で、相互作用が起こらないことを特徴とする、請求項１〜１６のいずれかに記載の方法。
【請求項１８】
前記第１の部分要素（６）の、既定の処理パラメータ設定に対する応答挙動が、同じ処理パラメータ設定に対する前記第２の部分要素（８）の応答挙動とは異なることを特徴とする、請求項１〜１７のいずれかに記載の方法によって製造されるセキュリティ要素（１）。
【請求項１９】
前記第１の部分要素（６）はプラスチック製であり、前記第２の部分要素（８）は紙基材であり、前記プラスチックと前記紙基材の両方が、視覚的に知覚可能に変えることができることを特徴とする、請求項１８に記載のセキュリティ要素（１）。
【請求項２０】
前記紙基材にインク層及び／又はスタンピングフォイル層が被着され、この層は、前記処理手段（Ｂ）を用いた処理によって視覚的に知覚可能に変えられることを特徴とする、請求項１９に記載のセキュリティ要素。
【請求項２１】
前記処理手段（Ｂ）を用いた処理は、前記第１の部分要素（６）上の及び／又は前記第２の部分要素（８）上の色変化、及び／又は、材料除去を起こすことを特徴とする、請求項１８〜２０のいずれかに記載のセキュリティ要素（１）。
【請求項２２】
前記処理手段（Ｂ）を用いた処理中、前記第１の部分要素（６）と前記第２の部分要素（８）との間で、粒子の移動が起こらないことを特徴とする、請求項１７に記載の方法。
【発明の詳細な説明】
【技術分野】
【０００１】
本発明は、請求項１のプリアンブルに記載のセキュリティ要素を製造する方法に関する。
【背景技術】
【０００２】
身分証明書、とりわけパスポートは、通常、表紙、複数の査証ページ、及びデータページを備える。査証ページとデータページが表紙と組み合わされてパスポートを作り上げ、1つのユニットを形成する。
【０００３】
パスポートのデータページには、写真、名前、生年月日等の、所有者に関する個人化された情報が含まれる。特許文献１はこうしたデータページの一例を開示する。
【０００４】
パスポート偽造では、データページをパスポートから取り除いて、別のパスポートに挿入することがある。その結果、査証ページと表紙はもはやデータページに合致しない。
【先行技術文献】
【特許文献】
【０００５】
【特許文献１】ＷＯ  ２００６／０７９２２４
【発明の概要】
【発明が解決しようとする課題】
【０００６】
本発明の目的は、少なくとも２つの、又はちょうど２つの担体部分の正しい組み合わせをチェックするための真偽情報アイテムを備えたセキュリティ要素を製造する方法であって、前記セキュリティ要素が、1つの第１の部分情報アイテムを有する第１の部分要素と、第２の部分情報アイテムを有する第２の部分要素とを少なくとも備え、前記第１の部分要素は第１の担体部分に割り当てることができ、前記第２の部分要素は第２の担体部分に割り当てることができ、両部分要素は、スタート位置から、一方の部分要素が他方の部分要素に重なるチェック位置へと動かすことができ、前記チェック位置での前記第１の部分情報アイテムと前記第２の部分情報アイテムが前記真偽情報アイテムを表す、セキュリティ要素を製造する方法を提供することである。
【課題を解決するための手段】
【０００７】
上記の目的は、請求項１に記載の方法により達成される。本方法は、少なくとも２つの、又はちょうど２つの担体部分の正しい組み合わせをチェックするためのセキュリティ要素の真偽情報アイテムを製造するのに役立ち、前記セキュリティ要素は、1つの第１の部分情報アイテムを有する第１の部分要素と、第２の部分情報アイテムを有する第２の部分要素とを少なくとも備え、前記第１の部分要素は第１の担体部分に割り当てることができ、前記第２の部分要素は第２の担体部分に割り当てることができ、両部分要素は、スタート位置から、一方の部分要素が他方の部分要素に重なるチェック位置へと動かすことができ、前記チェック位置での前記第１の部分情報アイテムと前記第２の部分情報アイテムが前記真偽情報アイテムを表す。本方法は、整列工程において、前記２つの部分要素を上下に配置して互いに対し整列させ、固定工程において、前記２つの部分要素を互いに対し整列させたそれらの位置に固定し、処理工程において、少なくとも１つの処理手段により電磁波を供給して、この電磁波を用いて前記第１の部分情報アイテムと前記第２の部分情報アイテムを製造し、前記２つの部分要素の一方は前記電磁波で直接的に処理され、前記２つの部分要素の他方は前記一方の部分要素を通して処理される、ことを特徴とする。
【０００８】
従って、本発明による方法を用いて、第１及び第２の部分情報アイテムを簡単な方法で製造することができる。
【０００９】
前記部分要素の一方は、この場合、他方の部分要素の上側に配置される。処理手段に近い方の部分要素は、処理手段を用いて直接的に処理することができ、処理手段から遠い方の部分要素は間接的に処理される。何故なら、処理手段は処理手段に近い方の部分要素を貫通しなければならないからである。
【００１０】
両部分要素は、好ましくは、処理手段によって排他的且つ即時に処理される。排他的且つ即時にとは、２つの部分要素を処理するためにこの処理手段だけが用いられ、これら２つの部分要素はこのパーソナライゼーションのために他の処理を受けないことを意味する。他の処理の一例として、前記一方の部分要素を取り除いて、前記他方の部分要素を処理するために取り除かれたものを用いることが挙げられる。従って、好ましくは、前記処理は前記処理手段を用いてのみ達成される。
【００１１】
少なくとも前記処理の前、処理手段に近い方の部分要素は、好ましくは、処理手段の電磁波が透過する又は電磁波に対して透明である。処理後、処理手段に近い方の部分要素は通常黒化されるか、変化させられ、その結果、前記透過性又は透明性が損なわれる、又は損なわれる可能性がある。結果として、電磁波は処理手段に近い方の部分要素を貫通し、処理手段から遠い方の部分要素に達することができる。言い換えれば、電磁波は、処理手段と、処理手段に対しより離れて配置される部分要素との間に配置される部分要素を貫通する。
【００１２】
前記処理手段は好ましくはレーザーであり、特に、ＵＶ領域から赤外領域の電磁波を発振可能な固体レーザーであり、特に、１０００〜１２００ｎｍの近赤外領域の電磁波が好ましい。
【００１３】
前記電磁波の少なくとも1つの処理パラメータは、好ましくは、第１の部分要素又は第２の部分要素のいずれかを選択的に処理できるように変えられる。それ故に、好ましくは、第１の部分情報アイテムを第１の部分要素内に製造するか、あるいは、第２の部分情報アイテムを第２の部分要素内に製造する。処理パラメータを変えることにより、好ましくは、２つの部分情報アイテムのうち１つだけを製造する、つまり言い換えると、好ましくは前記一方の部分情報アイテムか、又は前記他方の部分情報アイテムのいずれかを製造する。特に好ましくは、２つの部分情報アイテムの同時製造又は並行製造はない。
【００１４】
言い換えると、処理工程において、好ましくは、少なくとも１つの処理手段が電磁波を提供するために用いられ、この電磁波を用いて、第１の部分情報アイテムと第２の部分情報アイテムを製造し、前記電磁波は、前記２つの部分要素の一方を直接的に処理し、前記２つの部分要素の他方を前記一方の部分要素を通して処理するために用いられ、前記第１の部分要素か、又は前記第２の部分要素が選択的に処理される。
【００１５】
第１の部分要素の処理は、好ましくは、第２の部分要素の処理とは異なる時間に行われる。第１の部分要素の第１の部分情報アイテムだけを第１の時間窓にわたって設け、第２の部分情報アイテムだけを第２の時間窓にわたって設ける。第１の時間窓は第２の時間窓とは異なる。
【００１６】
前記第１の部分情報アイテムは、特に好ましくは、前記第２の部分情報アイテムとは異なる。部分情報アイテムは、好ましくは、以下に示すように、チェック位置において２つの部分情報アイテムを重ねることにより、真偽情報アイテムが形成されるように構成される。従って、特に好ましくは、２つの部分情報アイテムを同時に製造することが絶対に必要というわけではない。
【００１７】
従って、第１の部分情報アイテムは、第２の部分情報アイテムと、形や位置が異なる。部分情報アイテムは好ましくは互いに異なる。言い換えると、第１の部分情報アイテムは第２の部分情報アイテムと同一でないか、又は第１の部分情報アイテムは第２の部分情報アイテムと完全には同じでない。
【００１８】
前記電磁波の少なくとも１つの処理パラメータは、好ましくは、前記第１の部分要素及び／又は前記第２の部分要素を処理できるように変えられる。この少なくとも１つの処理パラメータを変えることにより、それに応じて、第１及び／又は第２の部分要素を標的にできる、あるいは処理できる。
【００１９】
変化させる処理パラメータは、好ましくは、電磁波の強度である。言い換えると、処理手段が提供する電磁波の強度を変えて、その結果、部分要素のそれぞれを個別に標的にできる。
【００２０】
あるいは、変化させる処理パラメータは焦点位置であって、処理手段が提供する電磁波の焦点位置を変えて、その結果、部分要素のそれぞれを個別に標的にできる。
【００２１】
あるいは、変化させる処理パラメータは波長であって、処理手段が提供する電磁波の波長を変えて、その結果、部分要素のそれぞれを個別に標的にできる。
【００２２】
あるいは、変化させる処理パラメータはパルスエネルギー及び／又はレーザー出力であって、処理手段が提供する電磁波のパルスエネルギー及び／又はレーザー出力を変えて、その結果、部分要素のそれぞれを個別に標的にできる。
【００２３】
変化させる個々の処理パラメータの少なくとも２つを組み合わせることも考えられる。例えば、処理パラメータの以下のような変化が考えられる：
−強度及び焦点位置、又は
−強度及び波長、又は
−焦点位置及び波長、又は
−強度、焦点位置及び波長。
【００２４】
変化する処理パラメータの上記組み合わせは、変化するパルスエネルギー及び／又はレーザー出力の変形でも可能である。
【００２５】
あるいは、変化させる処理パラメータが、電磁波の強度及び焦点位置であって、処理手段が提供する電磁波の強度及び焦点位置を変えて、その結果、部分要素のそれぞれを標的にできる。
【００２６】
特に好ましくは、少なくとも１つの処理パラメータを、第１の部分要素の上側と第２の部分要素の下側との間の任意の位置が処理可能なように変化させる。これにより、前記上側と前記下側との間の任意の深さに対処できる。これにより、部分要素の厚みに応じて、三次元効果を有する部分情報アイテムを作り出すことができる。
【００２７】
特に好ましくは、前記部分情報アイテムの製造は、一回だけの固定で行われ、前記第１の部分要素と前記第２の部分要素の両方をこの固定で処理する。
【００２８】
各部分要素の表面に平行な、拡張範囲にわたる部分情報アイテムの処理に関して、２つの変形が特に好ましい。第１の変形において、部分情報アイテムの拡張範囲を、各部分要素の表面に平行に処理手段が体系的に横断し、前記少なくとも１つの処理パラメータをこの横断操作中に変化させて、対応する位置に対処する。第２の変形において、部分情報アイテムの拡張範囲を、少なくとも２つのパスで処理手段が体系的に横断し、前記少なくとも１つの処理パラメータをこれらパスのそれぞれに対し、特に通過中に変化させる。
【００２９】
特に好ましくは、ちょうど１つの処理手段が存在し、これに対する処理パラメータを設定することができる。この１つだけの処理手段を用いて、第１及び第２の部分情報アイテムの両方を製造することができる。この目的のために、この１つだけの処理手段の少なくとも１つの処理パラメータを、特に上述の変形に従って設定する。
【００３０】
あるいは、少なくとも１つの第１の処理手段と少なくとも１つの第２の処理手段があって、これらが異なる処理パラメータを有する電磁波を提供する。この目的のために、これらの処理手段の処理パラメータを、特に上述の変形に従って設定する。
【００３１】
前記少なくとも２つの処理手段を有する実施形態において、各部分要素の表面に平行な、拡張範囲にわたる部分情報アイテムの処理に関し、２つの変形が特に好ましい。
【００３２】
第１の変形において、部分情報アイテムの拡張範囲を、各部分要素の表面に平行に１つのパスで処理手段が体系的に横断する。処理パラメータは横断操作に対して変えることができる。
【００３３】
第２の変形において、部分情報アイテムの拡張範囲を、各部分要素の表面に平行に少なくとも２つのパスで処理手段が体系的に横断し、処理手段の一方は、１つのパス中にパラメータを固定して又は変化させて作動され、処理手段の他方はそのパス中は作動させない。作動している処理手段において、処理パラメータはパス中固定されても変化させてもよい。
【００３４】
特に好ましくは、本方法の上述の実施形態の全てにおいて２つの部分要素は、処理工程中、互いと直接表面接触している。よって、２つの部分要素は、２つの部分要素の間には他に何も配置されずに、互いにしっかりと載っている。
【００３５】
あるいは、整列工程前又は整列工程中に、２つの部分要素の間に分離フィルムが挿入される。分離フィルムは、処理手段によって除去された粒子が、一方の部分要素から他方の部分要素に移動しないようにする。
【００３６】
分離フィルムには、好ましくは、第１の部分要素に面する側及び／又は第２の部分要素に面する側に接着層が設けられる。
【００３７】
分離フィルムは、好ましくは、インク用のキャリアとして働き、インクは、処理手段を用いた処理を通して分離フィルムから剥離され、第１及び／又は第２の部分要素へと移されてそれに付着する。
【００３８】
上述の変形又は実施形態の全てにおいて、処理手段を用いた処理中に、第１の部分要素と第２の部分要素との間で、相互作用、特に粒子の移動が起こらなければ特に有利である。特に、２つの部分要素のいずれもが、他方の部分要素の処理に対して機能しない。これは、例えば、第１の部分要素から第２の部分要素へ粒子等が移されず、そこでの材料除去又は材料堆積を引き起こさないことを意味する。
【００３９】
好ましくは、規定の処理パラメータ設定に関する第１の部分要素の応答挙動は、同じ処理パラメータ設定に関する第２の部分要素の応答挙動とは異なる。従って、個々の部分要素の処理が可能である。
【００４０】
好ましくは、第１の部分要素はプラスチック製であり、第２の部分要素は紙基材であり、プラスチック及び紙基材の両方が、処理手段により視覚的に知覚可能に変えることができる。
【００４１】
あるいは、インク層及び／又はスタンピングフォイル層が紙基材に被着され、この層が視覚的に知覚可能に変えられる。
【００４２】
処理手段を用いた処理により、第１の部分要素又は第２の部分要素上の色が変わったり、及び／又は材料が除去される。
【００４３】
少なくとも２つ、又はちょうど２つの担体部分の正しい組み合わせ又は割当をチェックするための真偽情報アイテムを備えたセキュリティ要素は、１つの第１の部分情報アイテムを有する第１の部分要素と、第２の部分情報アイテムを有する第２の部分要素とを少なくとも備える。第１の部分要素は第１の担体部分に割り当てることができ、第２の部分要素は第２の担体部分に割り当てることができる。両部分要素は、スタート位置から、一方の部分要素が他方の部分要素に重なるチェック位置まで動かすことができ、チェック位置における第１の部分情報アイテムと第２の部分情報アイテムが、前記真偽情報アイテムを表す。
【００４４】
前記部分情報アイテムは、好ましくは、上述の方法により製造される。
【００４５】
前記チェック位置において、前記真偽情報アイテムが、前記第１の部分情報アイテムと前記第２の部分情報アイテムによって形成される。これにより、前記第２の担体部分への前記第１の担体部分の割当が正しいか否か、簡単な方法でチェックすることができる。これら２つの部分情報アイテムの一方が他方の部分情報アイテムと適合しなければ、表される真偽情報アイテムは前記真偽情報アイテムではない、と知覚できる。こうすることにより、これら２つの担体部分の正しい割当をチェックする人に、これら２つの担体部分が同グループでないことを伝える、つまり改ざんであることを示す。
【００４６】
さらなる変形では、前記セキュリティ要素は、前記第１の部分要素と前記第２の部分要素に加えて、第３の部分情報アイテムを有する第３の部分要素を備える。第３の部分要素は、第３の担体部分に割り当てることができ、スタート位置から、２つの部分要素、つまり前記第１の部分要素と第３の部分要素が重なるチェック位置へと、前記第１の部分要素に対して動かせ、チェック位置における前記第１の部分情報アイテムと前記第３の部分情報アイテムが、さらなる真偽情報アイテムを表す。
【００４７】
第３の部分情報アイテムは、第１及び第２の部分情報アイテムと同様に、上述の方法に従って製造できる。
【００４８】
前記第１の部分情報アイテムと前記第３の部分情報アイテムによって表される、前記さらなる真偽情報アイテムは、好ましくは、外観において、前記第１の部分情報アイテムと前記第２の部分情報アイテムによって表される真偽情報アイテムとは異なる。しかしながら、これら２つの真偽情報アイテムは、互いに同一又は類似に構成されてもよい。
【００４９】
好ましくは、前記第１の部分情報アイテムと前記第２の部分情報アイテムが、前記チェック位置にて前記真偽情報アイテムを完成させる、及び／又は、前記第１の部分情報アイテムと前記第３の部分情報アイテムが、前記チェック位置にて前記さらなる真偽情報アイテムを完成させる。完成させるとは、部分情報アイテム同士が補完し合い、それにより真偽情報アイテムを形成することを意味する。例えば、第１の部分情報アイテムが真偽情報アイテムの第１の部分を形成し、第２の部分情報アイテムが真偽情報アイテムの第２の部分を形成し、この２つの部分の和が真偽情報アイテムを作り出す。
【００５０】
概して、対応する部分要素の２つの部分情報アイテムの和が、前記真偽情報アイテムを作り出す。
【００５１】
しかしながら、前記真偽情報アイテムは、部分情報アイテムの領域の補完又はカバーによって表されてもよい。例えば、一方の部分情報アイテムが他方の部分情報アイテムの領域をカバーすることが考えられる。さらに、前記一方の部分情報アイテムは、このカバー領域に、付加的な部分情報アイテムを設けることもでき、この付加的な部分情報アイテムが、他方の担体部分上の他方の部分情報アイテムを補完する。
【００５２】
好ましくは、前記第１の部分要素又は前記第１の部分情報アイテムは、前記第２の部分要素又は前記第２の部分情報アイテムと異なる。さらに、好ましくは、前記場合により存在する第３の部分要素、又は、前記場合により存在する第３の部分情報アイテムは、前記第１又は第２の部分要素とは異なる。これによって、前記部分情報アイテムは、任意の所望する構成を有することができる。あるいは、前記部分情報アイテム又は前記部分要素を、互いと同一に構成することもできる。
【００５３】
前記部分情報アイテムを有する前記部分要素が割り当てられる前記担体部分は、前記セキュリティ要素の一部であってよい。特に、部分要素が担体部分に固定して連結されるか、又は、担体部分に一体化される場合がこれに当たる。
【００５４】
第１の変形において、前記担体部分は、互いと別々に構成され、互いと連結していない。それぞれ部分要素が割り当てられる前記担体部分は、互いと別々に構成される。それ故、前記セキュリティ要素の前記部分要素も、互いと別々に構成される。言い換えると、前記セキュリティ要素は、前記第１の部分要素を有する前記第１の担体部分と、前記第２の部分要素を有する前記第２の担体部分と、任意で、前記第３の部分要素を有する前記第３の担体部分とを備え、これら担体部分が互いと別々に構成されている。
【００５５】
第２の変形において、前記担体部分は、互いと別々に構成され、接合部を介して互いと接触している。接合部は機械的及び／又は一体的であってよい。機械的な接合部は、例えば、縫い合わせ継ぎ目であってよい。一体的接合部は、例えば、接着部又は溶接部であってよい。第３の変形において、前記担体部分は互いに連結して一部品となっている。
【００５６】
好ましくは、前記真偽情報アイテムは、少なくとも１つの画像及び／又は少なくとも１つの英数字であり、前記第１の部分情報アイテムが、前記少なくとも１つの画像又は前記少なくとも１つの英数字の第１の部分を表し、前記第２の部分情報アイテムが、前記少なくとも１つの画像又は前記少なくとも１つの英数字の第２の部分を表す。
【００５７】
好ましくは、前記真偽情報アイテムは、図で表すことができる情報アイテムである。
【００５８】
前記真偽情報アイテムである画像は、例えば、写真、身元確認書類の所有者のポートレート、国の輪郭、国の紋章、国旗、又は図による情報アイテムであってよい。前記英数字の真偽情報アイテムは、例えば、書類番号、登録番号、又はコードであってよい。
【００５９】
好ましくは、前記部分情報アイテムは、部分要素の一部である直接隣り合う領域から視覚的に区別できるように設けられる。従って、部分情報アイテムは、見る人が視覚的に識別できる。好ましくは、部分情報アイテムは、不透明及び／又は半不透明領域の形で設けられる。この領域は使用者によって明確に識別でき、部分情報アイテムの少なくとも１つの部分を形成する。
【００６０】
好ましくは、前記部分要素の少なくとも１つは、少なくとも１つの透明又は半透明領域と少なくとも１つの不透明及び／又は半不透明領域とを備える。重ねると、この透明又は半透明領域を通して他方の部分要素の部分情報アイテムが目に見えるようになり、これにより前記真偽情報アイテムが完全なものとなる。従って、一方の部分要素の透明又は半透明領域を通して、他方の部分要素の他方の部分情報アイテムが目に見えるようになる。
【００６１】
特に好ましくは、前記透明又は半透明領域を、対応する担体部分に窓の形で設け、この窓の領域に、一方の部分情報アイテムを表す領域を不透明及び／又は半不透明に設ける。このとき、他方の部分情報アイテムは、この透明又は半透明領域を通して窓を通して目に見え、こうして、真偽情報アイテムが組み立てられる。好ましくは、前記部分情報アイテムを表す前記領域を、１つの、特に同じ処理手段によって、又は複数の処理手段によって設けてもよい。
【００６２】
好ましくは、前記不透明領域は、他方の部分情報アイテムを補完するように働き、この不透明領域が、部分情報アイテムそのものを提供し、及び／又は、前記不透明領域の内部に、同様に他方の部分情報アイテムを補完するさらなる部分情報アイテムを追加して設ける。
【００６３】
窓内の部分情報アイテムは、見る方向に応じて、ポジ又はネガとして出現してもよい。ポジ及びネガは、ポジ及びネガとして互いに同一であるという意味で正真正銘のポジ及びネガであってよい。あるいは、ポジ及びネガは、例えば、不透明領域にさらなる部分情報アイテムを配置することにより、ポジ及びネガとして互いに対して同等でないという意味で正真正銘でないポジ又はネガであってもよい。
【００６４】
特に好ましくは、前記第１の部分情報アイテムは、透明又は半透明の窓に、少なくとも1つの不透明及び／又は半不透明領域の形で存在し、前記第２の、そして場合により、前記第３の部分情報アイテムは、少なくとも１つの不透明領域の形で存在し、このとき、この不透明領域は、前記第１の部分情報アイテムの透明又は半透明の窓を通して見えるようになる。部分情報アイテムは、複数の領域から、又はただ1つの領域から組み立てることができる。
【００６５】
前記処理手段は好ましくはプリンタであり、前記少なくとも1つの領域がプリントされる。あるいは、前記処理手段はレーザーであってよく、前記少なくとも１つの領域を、レーザーで処理することにより色を変えられるレーザー活性化添加剤によって設けてもよいし、又は、前記少なくとも１つの領域を、レーザーで処理することによって局所的に破壊できる金属箔又はプラスチック顔料によって設けてもよい。後者は、金属アブレーション又はプラスチックアブレーションとも呼ぶ。しかしながら、前記領域を、前記処理手段を互いに組み合わせて用いることによって組み込むこともできる。
【００６６】
前記レーザー活性化添加剤は、好ましくは、窓を提供する材料中に存在する。有利には、前記レーザー活性化添加剤は、窓に存在するプラスチック顔料の形をとる。前記アブレーション用の金属箔又はプラスチックセグメントは好ましくは同様に窓の一部であり、窓領域全体に広がる、又はその一部だけに広がっていてもよい。
【００６７】
好ましくは、真偽情報アイテムは個人化された情報アイテムであり、特に、ポートレート又は英数字で表せる個人化された情報アイテムである。しかしながら、真偽情報アイテムは、個別化された情報、特に書類番号であってもよい。
【００６８】
好ましくは、真偽情報アイテムはランダム配列により前記部分要素上に分配される。従って、部分情報アイテムはランダム形式を有する。あるいは、真偽情報アイテムは、所定の配列又はパターンによって部分要素上に分配される。
【００６９】
好ましくは、部分要素は領域によって決められ、全ての部分要素の領域は好ましくは同一である。部分要素が配置される担体部分が互いと連結されている場合は、好ましくは、部分要素は担体部分上のそれぞれ同じ位置に位置づけられる。
【００７０】
例えば、部分要素は、外周線によって画定され、全ての部分要素の、外周線によって画定される領域が同一である。
【００７１】
チェック位置では、部分要素は好ましくは、少なくとも部分的に一致して又は完全に一致して上下に配置される。
【００７２】
前記第１、第２及び／又は第３の部分情報アイテム、あるいは真偽情報アイテムは、好ましくは、視覚的に知覚可能な情報アイテムである。特に好ましくは、部分情報アイテム又は真偽情報アイテムが、さらなる補助器具を用いずに、肉眼で識別可能であるように構成される。
【００７３】
付加的に又は代わりに、前記第１、第２及び／又は第３の部分情報アイテム、あるいは真偽情報アイテムを、紫外線又は赤外線を用いて識別できるように構成してもよい。
【００７４】
１つの変形において、前記第１、第２及び／又は第３の部分情報アイテムを、好ましくは、前記部分領域の面積より大きい平面的な広がりを有する偽造防止印刷で覆ってもよい。
【００７５】
身元確認書類、特にパスポートは、上記記載による少なくとも１つのセキュリティ要素と、少なくとも、前記第１の担体部分に対応する第１のページ及び前記第２の担体部分に対応する第２のページとを備え、前記第１の部分要素は前記第１のページに固定して割り当てられ、前記第２の部分要素は前記第２のページに固定して割り当てられ、チェック位置にてこれら２つのページが重なると、重なった領域における前記第１の部分情報アイテムと前記第２の部分情報アイテムが、前記真偽情報アイテムを表す、特にこれを完成させる。
【００７６】
前記第１のページと前記第２のページは接合部、例えば継ぎ目を介して互いと連結されている。
【００７７】
１つの変形において、身元確認書類は、第３の担体部分に対応する第３のページを有し、この第３のページに前記第３の部分要素が固定して割り当てられ、チェック位置にて２つのページが重なると、重なった領域における前記第１の部分情報アイテムと前記第３の部分情報アイテムが、前記さらなる真偽情報アイテムを表す、特にこれを完成させる。前記第３のページは、接合部を介して第１及び第２のページと連結されている。
【００７８】
前記部分要素は好ましくは、各ページに一体の構成要素であるため、この部分要素を各ページから取り除くことはできない。
【００７９】
特に好ましくは、前記第１のページはデータページであり、前記第２のページは査証ページ又はパスポートの表紙ページである。前記データページは通常プラスチック、特にポリカーボネート製であり、査証ページはセキュリティペーパーから製造される。
【００８０】
２つの真偽情報アイテムを提供するために前記第１、第２及び第３の部分要素を備える実施形態においては、前記第３の担体要素に対応する前記第３のページが表紙ページとなる。
【００８１】
さらなる実施形態は従属請求項に明記する。
【図面の簡単な説明】
【００８２】
本発明の好ましい実施形態を、図を参照しながら以下に説明するが、これらの実施形態は、説明のためだけのものであって、本発明を限定するものと解釈されるべきではない。
【００８３】
【図１】図１は、本発明のセキュリティ要素を有する、複数ページからなる書類、特にパスポートの斜視図である。
【図２】図２は、複数ページからなる書類の３枚のページ上にある本発明のセキュリティ要素の概略図である。
【図３】図３は、本発明のセキュリティ要素の、別々にした状態と重ねた状態との一連の図である。
【図４】図４は、本発明のセキュリティ要素の、別々にした状態と重ねた状態との一連の図である。
【図５】図５は、別々にした状態と重ねた状態での、当発明に従った本発明によるセキュリティ要素のさらなる実施形態を示す。
【図６】図６は、別々にした状態と重ねた状態での、当発明に従った本発明によるセキュリティ要素のさらなる実施形態を示す。
【図７】図７は、別々にした状態と重ねた状態での、当発明に従った本発明によるセキュリティ要素のさらなる実施形態を示す。
【図８ａ】図８ａは、別々にした状態と重ねた状態での、当発明に従った本発明によるセキュリティ要素のさらなる実施形態を示す。
【図８ｂ】図８ｂは、別々にした状態と重ねた状態での、当発明に従った本発明によるセキュリティ要素のさらなる実施形態を示す。
【図８ｃ】図８ｃは、別々にした状態と重ねた状態での、当発明に従った本発明によるセキュリティ要素のさらなる実施形態を示す。
【図８ｄ】図８ｄは、別々にした状態と重ねた状態での、当発明に従った本発明によるセキュリティ要素のさらなる実施形態を示す。
【図９】図９は、特に、好ましい変形による、図１〜８のセキュリティ要素を製造するための処理手段の概略図である。
【図１０】図１０は、特に、さらなる好ましい変形による、図１〜８のセキュリティ要素を製造するための処理手段の概略図である。
【発明を実施するための形態】
【００８４】
図１は、本発明によるセキュリティ要素１を有する身元確認書類１６、特にパスポートを示す。身元確認書類１６については以下でさらに詳細に説明する。
【００８５】
セキュリティ要素１について、図１並びに２〜４を参照してより詳細に説明する。セキュリティ要素１は、２つ、又は少なくとも２つ、この場合は３つの担体部分３，４，５の正しい組み合わせ又は割当をチェックするための真偽情報アイテム２を備える。真偽情報アイテムは、判定すべき担体部分３，４，５が互いに適合しているか否か、又は、担体部分３，４，５が、特に、担体部分３，４，５の１つを差し替える等、違法な改ざんにより互いに適合していないか否かを観察者に伝える。
【００８６】
セキュリティ要素１は、１つの第１の部分情報アイテム７を有する第１の部分要素６と、１つの第２の部分情報アイテム９を有する第２の部分要素８とを少なくとも備える。第１の部分情報アイテム７を含む第１の部分要素６の、第２の部分情報アイテム８を含む第２の部分要素８への相対的な動き、特に、第２の部分情報アイテム８を含む第２の部分要素８との重ね合わせによって、真偽情報アイテム２が提供される。
【００８７】
この場合、第１の部分要素６は第１の担体部分３に割り当てられ、第２の部分要素８は第２の担体部分４に割り当てられる。これら２つの部分要素６，８は、スタート位置からチェック位置へと互いに対し相対的に動かすことができ、スタート位置から始めて、２つの担体部分３，４が互いに向かって動かされる。図３では、左側に、スタート位置での担体部分３，４が示される。図３の右側では、チェック位置にある担体部分３，４と、従って部分要素６，８が示される。部分要素６，８はチェック位置で重なり、それに対応して、第１の部分情報アイテム７と第２の部分情報アイテム９が、チェック位置で前記真偽情報アイテム２を表す。図３の例での真偽情報アイテムは、文字Ａ，Ｂ，Ｃ，Ｄを含み、これらは長方形の内部に配置される。図３では、スタート位置において、部分情報アイテム７，９自体は、何かを表す情報アイテムとして知覚できないことが容易にわかる。第１の部分情報アイテム７が第２の部分情報アイテム９と組み合わさって初めて、真偽情報アイテム２が観察者に見えるようになる。担体部分３，４の１つが異なる部分情報アイテムを有する改ざんされた担体部分によって差し替えられた場合、改ざんされると２つの部分情報アイテム７，９はもはや適合しないので、真偽情報アイテムは現れない。
【００８８】
図２〜４に示される実施形態において、セキュリティ要素１は、第１の部分要素６と第２の部分要素８に加えて、第３の部分情報アイテム１１を有する第３の部分要素１０を備える。第３の部分要素１０は、第３の担体部分５に割り当てられる。第３の部分情報アイテム１１を有する第３の部分要素１０は、スタート位置からチェック位置へと、第１の部分情報アイテム７を有する第１の部分要素６に対し動かすことができる。チェック位置では、第１の部分要素６と第３の部分要素が上下に配置されて重なり、チェック位置における第１の部分情報アイテム７と第３の部分情報アイテム１１がさらなる真偽情報アイテム１２を表す。真偽情報アイテム１２は、図４に対応して表され、数字１，２，３，４を示す。
【００８９】
図２〜４に関して、第２の部分情報アイテム９と組み合わせる第１の部分要素６の第１の部分情報アイテムと、第３の部分情報アイテム１１と組み合わせる第１の部分要素６の第１の部分情報アイテムとは同一であることが容易に分かる。従って、この１つの部分情報アイテムを、第２の部分情報アイテム９及び第３の部分情報アイテム１１と組み合わせて用いて、複数の、特に互いに異なる真偽情報アイテム２，１２を表すことができる。
【００９０】
真偽情報アイテム２，１２の表示は、実質的に、各部分情報アイテム７，９，１１を他方の部分情報アイテム７，９，１１で完成させることによって得られる。こうして、第１の部分情報アイテム７と第２の部分情報アイテム９が画像を完成させて真偽情報アイテム２を提供し、第１の部分情報アイテム７と第３の部分情報アイテム１１が画像を完成させてさらなる真偽情報アイテム１２を表示する。これは、実質的に、２つの情報アイテム部分の和形成であり、これが、真偽情報アイテム２，１２の表示をもたらす。言い換えれば、組み合わされるべき２つの部分情報アイテムがそれぞれ互いを補完し、真偽情報アイテムを形成する。
【００９１】
第１の変形において、担体部分３，４，５は、互いとは別々であるように構成することができる。本明細書における別々のとは、担体部分３，４，５が物理的に互いに連結しておらず、互いと別個に形成される２つの部分であることを意味する。例えば、薬剤容器にパッケージインサートを付ける場合、別々の構成を用いることができる。こうして、患者又は医療関係者は、パッケージインサートが薬剤容器に属するか否かをチェックできる。
【００９２】
第２の変形において、担体部分３，４，５は、互いとは別々に構成することができ、前記担体部分３，４，５は、接合部を介して互いと連結している。接合部は、様々な構成を有することができる。第２の変形による第１の発展形において、担体部分３，４，５は機械的な、好ましくは一体的でない接合部を介して互いと接触している。このような連結は、例えば、本の印刷、特にパスポートの印刷では普通の連結である。例えば、担体部分３，４，５は、糸を用いた縫い目によって互いに連結される。担体部分３，４，５は確かに互いとは別々に形成されているが、この機械的連結を介して互いと接触している。第２の変形による第２の発展形において、担体部分３，４，５は、接着部又は溶接部等の一体的接合部を介して互いと連結できる。発展形において、一体的連結を、機械的連結によってさらに確実なものにすることもできる。
【００９３】
第３の変形において、担体部分３，４，５はまた、互いと連結して一部品を形成することもできる。この発展形は、特に、偽造に対するセキュリティを高め、一部品書類の改ざんを容易に見抜けるという利点を有する。
【００９４】
全ての変形において、本発明は、担体部分３，４，５のうちの１つの差し替えについて、真偽情報アイテム２，１２を用いてチェックを行うことができるという利点を有する。担体部分３，４，５のうちの１つが別の担体部分で違法に差し替えられた場合、チェックする人は、対応する担体部分３，４，５をスタート位置からチェック位置へと動かすことによって、これをチェックできる。
【００９５】
図２〜４による実施形態において、真偽情報アイテムは実質的に英数字、ここでは文字及び数字である。ここで、記号は、直接知覚できる記号として（文字ＢとＣ及び数字１と４を参照）、又はフレーム内に配置される間接的な記号として（文字ＡとＤ及び数字２と３を参照）表される。
【００９６】
図５〜７に示すように、真偽情報アイテム２，１２は異なる形であってもよい。図５は、人の画像と英文字との組み合わせを示す。図６では、真偽情報アイテム２，１２はポートレートの形をしている。図７では、真偽情報アイテム２，１２は異なる英数字の形状をもつ。
【００９７】
従って、真偽情報アイテム２，１２は、これらの図に示されるように、様々な形状を有してよい。しかしながら、特に好ましくは、真偽情報アイテム２，１２は個別化された又は個人化されたものである。個別化された情報アイテムとは、書類に割り当てられる情報アイテムを意味すると解される。個人化された情報アイテムとは、書類の所有者を決めることのできる情報アイテムを意味すると理解される。書類のシリアルナンバーは、個別化された真偽情報アイテム２，１２の一例である。ポートレート、生年月日、又は生まれた場所は、個人化された真偽情報アイテムの例である。
【００９８】
図５は、第１の部分情報アイテム７が少なくとも１つの画像又は少なくとも１つの英数字の第１の部分を表すことを示す。第１の部分情報アイテム７の右側に示される第２の部分情報アイテム９は、前記画像又は前記英数字の第２の部分を表す。一番右側には、第１の部分情報アイテム７と第２の部分情報アイテム９の重なりが表される。この重なりは、２つの部分情報アイテム７と９の間の一種の和形成である。この場合、第１の部分情報アイテムが第２の部分情報アイテムを補完して、第１の真偽情報アイテム２を形成する。
【００９９】
図５のさらなる画像セットには、第１の部分情報アイテム７と第３の部分情報アイテム１１との組み合わせが示される。第１の部分情報アイテム７はこの場合一番左側に表され、第３の部分情報アイテム１１がこれに続く。一番右側には、第１の部分情報アイテム７と第３の部分情報アイテム１１との重なりが示される。この重なりはさらなる真偽情報アイテム１２を形成する。図５では、第１の部分情報アイテム７は真偽情報アイテム２，１２の両方に対して同一であることが容易に分かる。第２及び第３の部分情報アイテム９，１１は互いと異なり、その結果、異なる真偽情報アイテム２，１２を作り出す。
【０１００】
図６及び７に、図５に非常に似た構成を示すが、これについては上記説明を参照のこと。
【０１０１】
これら図中の全ての実施形態は、部分情報アイテム７，９，１１が、部分要素６，８，１０の領域でもある直接隣接した領域から視覚的に区別可能に設けられることを示す。従って、部分要素６，８，１０は視覚的に知覚可能な部分情報アイテム７，９，１１を含む。部分情報アイテム７，９，１１は特に、部分要素６，８，１０内の不透明及び／又は半不透明（半透明）領域の形で設けられる。この不透明又は半不透明領域に引用符号２１を付ける。不透明領域とは、実質的に透けて見えないように構成された領域を意味すると理解される。半不透明又は半透明領域とは、わずかに光を通すが完全には透明でない領域を意味すると理解される。このような領域は視覚的に知覚可能である。
【０１０２】
部分要素の少なくとも１つ、この場合部分要素７は、さらに、１つの透明又は半透明領域１３、及び不透明又は半不透明領域２１を少なくとも備え、重なると、この透明又は半透明領域１３を通して、他方の部分要素８，１０の部分情報アイテム９，１１が見えるようになる。重なることにより、真偽情報アイテム２，１２が表われ又は完成される。透明領域とは、ほぼ完全に透明又は透けて見える領域を意味すると理解される。半透明領域とは、完全には透明でないが不透明ではない領域であると理解され、これにより半透明領域の裏側にある情報アイテムを、この半透明領域を通して視覚的にとらえることができる。
【０１０３】
前記透明又は半透明領域１３は、好ましくは窓１４の形で設けられる。窓１４を図１に示す。窓１４は、この場合、担体部分３の一部であり、好ましくは、担体部分３に固定して一体化されている。窓の領域に、部分情報アイテム７を表す不透明及び／又は半不透明領域がある。図１では、部分情報アイテム７は、窓１４内の黒い領域７の形で表されている。黒い領域７の周りの領域は、この場合、透明又は半透明であり、観察者は観察方向Ｖ及び観察方向Ｈにこれらの領域を通して見ることができ、これらの下にあるさらなる情報アイテムを検知できる。担体部分３をスタート位置からチェック位置へと第２の担体部分４の方向に折り返すと、窓１４が第２の部分情報アイテム９上に載るようになる。このとき使用者は、観察方向Ｈに窓１４を通して第２の部分情報アイテムを確認できる。第２の部分情報アイテム９と第１の部分情報アイテム７は、この場合、前記真偽情報アイテム２を表し、第１の部分情報アイテム７が第２の部分情報アイテム９を完成させる。同様に、スタート位置からチェック位置へ第１の担体部分３を第３の担体部分５に折り返すことにより、真偽情報アイテム１２を表すことができる。観察者は観察方向Ｖに窓１４を通して見ることができ、これにより第３の部分情報アイテム１１を検知できる。これによって、第１の部分情報アイテム７と第３の部分情報アイテム１１は、さらなる真偽情報アイテム１２を完成させる。
【０１０４】
観察方向Ｖ及びＨに関して、次のことにも注意すべきである。観察方向Ｖにおいて第１部分情報アイテム７はポジとして検知され、観察方向Ｈにおいて第１部分情報アイテムはネガとして検知される。
【０１０５】
部分情報アイテム７，９，１１は、適当な処理手段によって対応する部分要素６，８，１０上に設けられる。この処理手段はプリンタであってよい。前記部分情報アイテム７，９，１１の領域又は部分領域をプリントするためにプリンタが用いられる。処理手段は、これに代えて、又はプリンタと組み合わせて、レーザーであってよく、レーザーで処理を行うことによって色を変えられるレーザー活性化添加剤によって前記領域又は部分領域を設ける。さらなる実施形態において、前記処理手段はレーザーであってよく、前記領域又は部分領域を、レーザーによって金属フィルム又はプラスチック顔料を部分的に破壊することにより設ける。これは、金属又はプラスチックアブレーションである。部分情報アイテム７，９，１１を表す領域又は部分領域を、前記処理手段の組み合わせによって設けることもできる。
【０１０６】
全ての実施形態について注意すべきは、真偽情報アイテム２，１２は、部分要素６，８，１０の上にランダムに分配され得ることである。これは、部分要素６，８，１０上の部分情報アイテム７，９，１１がランダム形式であることを意味する。このランダム性は、こうした要素の偽造に対するセキュリティをさらに高め、こうしたセキュリティ要素を偽造者は予め製造できないという利点を有する。例えば、このランダムな分配のためにランダム発生器を用いることができる。
【０１０７】
あるいは、部分要素６，８，１０上の真偽情報アイテム２，１２を、所定の配列に従って、例えば所定のアルゴリズムに従って、分配することもできる。これは、部分情報アイテム７，９，１１をこの所定の配列に従って分配して製造することを意味する。このような実施形態は、部分情報アイテムそのものの真偽を後日チェックできるという利点がある。
【０１０８】
部分要素６，８，１０は、好ましくは領域によって決められる。これは、部分要素６，８，１０が特定の予め決められた領域を有することを意味する。例えば図１では、部分要素６，８，１０が外周線１５によって画定される。このとき、外周線１５は絶対に存在しなければならないわけではないが、実質的に、対応する担体部分３，４，５上の部分要素６，８，１０の拡張部分を決定するための境界線として働く。外周線はプリントされてもよい。全ての部分要素６，８，１０の領域は、好ましくは同一である。さらに、部分要素６，８，１０は、例えば図１に示されるように、書類内の、それぞれが好ましくは同じ場所に配置され、その結果、チェック位置においてできるだけ容易に重ねることができるようになる。
【０１０９】
図１には、先に説明したように、身元確認書類１６を示す。身元確認書類１６は、好ましくはパスポートである。身元確認書類１６は、上記による少なくとも１つのセキュリティ要素と、少なくとも１つの第１の担体部分３に対応する第１のページ１７と、第２の担体部分４に対応する第２のページ１８とを備える。この場合第１の部分要素は、第１のページ１７に固定して接続されているか、又は第１のページ１７の一体部分である。第２の部分要素７は、第２のページ１８に固定して接続されているか、又は第２のページ１８の一体部分である。チェック位置においてページ１７，１８を重ねることにより、第１の部分情報アイテム７が第２の部分情報アイテム９の上に配置され、それによって前記真偽情報アイテム２が表される。身元確認書類１６は、さらに、第３の担体部分５に対応する第３のページ１９を備える。第３のページ１９は、ここでは、第２のページ１８と反対側に配置される。これは、第１のページ１７が、第２のページ１８に向かってと第３のページ１９に向かっての両方に動かすことができることを意味する。第３の部分要素１０は、第３のページ１９に固定して割り当てられ、これに固定して接続されているか、又はこれの一体部分である。２つのページ１７，１９をチェック位置において重ねると、第１の部分情報アイテム７は第３の部分情報アイテム１１に重なり、この重なった領域において前記真偽情報アイテム１２が表され、又は完成される。
【０１１０】
第１のページ１７と第２のページ１８と、場合により存在する第３のページ１９は、例えば継ぎ目等の取り外し可能な接合部を介して、互いと連結される。従って、偽造者がページの一枚を差し替えることは理論的には可能である。この場合、こうした差し替えを、真偽情報アイテムをチェックすることによって容易に突き止めることができ、その結果偽造を容易に見抜くことができる。
【０１１１】
第１のページ１７は、好ましくは、パスポートのデータページである。データページは、通常プラスチック、特にポリカーボネート製である。データページには、視覚的に知覚可能な及び／又は電子的に読み取り可能な方法で、多数の個人化された情報アイテムが蓄えられる。第２のページは好ましくは査証ページであり、特にセキュリティペーパーからなる。しかしながら、個別化された及び／又は個人化された情報アイテムが査証ページにあってもよい。第３のページも同様に査証ページか、又は表紙ページであってよい。
【０１１２】
図８ａ〜８ｄは、組み合わされて真偽情報アイテム２，１２を形成する、部分情報アイテム７，９，１１のさらなる例を示す。原理的には上記を参照でき、追加の態様を、これら図を参照して以下に説明する。
【０１１３】
図８ａでは、第１の部分情報アイテム７は様々な文字の形をしており、第２の部分情報アイテム９は文字Ａの形をしている。第１の部分情報アイテム７は透明領域１３と不透明領域２１とを備える。この不透明領域２１は、不透明領域内部にさらなる情報アイテムを付加的に備えてよい。前記さらなる情報アイテムはそれぞれの部分情報アイテム７の一部であり、参照番号２２を付す。チェック位置での第１の部分情報アイテム７の不透明領域２１は、第２又は第３の部分情報アイテム９，１１の部分を覆い、不透明領域２１内部のさらなる情報アイテム２２とともにそれらを完成させる。これは、図８ａの図の一番右側に示される。
【０１１４】
よりよい理解を提供するために、図８ｂ及び８ｃの一番左側には、第１の部分情報アイテム７を他の２つの部分情報アイテム９，１１に対しずらして示す。左から２番目の図では、第１の部分情報アイテム７がスタート位置にある。第１の部分情報アイテム７は透明領域１３と不透明領域２１とを備える。不透明領域２１は、その不透明領域の内部にさらなる情報アイテムを追加で備える。前記さらなる情報アイテムは、それぞれの部分情報アイテム７の一部であり、参照番号２２を付す。第１の部分情報アイテム７の不透明領域２１は、チェック位置で第２又は第３の部分情報アイテム９，１１の一部を覆い、不透明領域２１の内部のさらなる情報アイテム２２とともにこれらを完成させる。これを、図８ｂ及び８ｃの両図の右側に示す。
【０１１５】
図８ｄでは、図８ａ〜ｃの例とは異なり、さらなる情報アイテム２２が、部分要素６への観察方向に応じて、部分情報アイテムが異なる形をとるように設けられる。図８ｄの右端の図では、一方の観察方向に対して部分情報アイテム７ａが生み出され、他方の観察方向に対して部分情報アイテム７ｂが生み出される。図８ｄの右側２つの図に示すように、観察又は組み合わせ方向に応じて、第２の部分情報アイテム９は部分情報アイテム７ａと真偽情報アイテム２を生み出し、第３の部分情報アイテム１１は部分情報アイテム７ｂと真偽情報アイテム１２を生み出す。
【０１１６】
図９及び１０は、セキュリティ要素１の真偽情報アイテム２を製造するための本発明による方法を示す。セキュリティ要素１と真偽情報アイテム２は、特に図１〜８ｄに従って構成することができる。同様に、異なる構成も可能である。
【０１１７】
図９及び１０において、セキュリティ要素１の細部は、説明のために単に概略的に示す。セキュリティ要素１は、１つの第１の部分情報アイテム７を有する第１の部分要素６と、第２の部分情報アイテム９を有する第２の部分要素８とを少なくとも備える。第１の部分要素６は第１の担体部分３に割り当てることができ、第２の部分要素８は第２の担体部分４に割り当てることができる。これら２つの部分要素６，８は、スタート位置から、２つの部分要素６，８が重なるチェック位置へと動かすことができ、第１の部分情報アイテム７と第２の部分情報アイテム９がチェック位置において前記真偽情報アイテム２を表す。ここで、割り当てることができるとは、部分要素６，８が担体部分の一部を形成する又は担体部分に連結可能であることを意味すると理解される。図には、第１の部分情報アイテム７を有する第１の部分要素６と、第２の部分情報アイテム９を有する第２の部分要素８を、単に概略的に断面で示す。ここで、網目領域は、各部分要素６，８が処理手段Ｂで処理された後の、知覚可能な形状変化を表す。この形状の変化は、特に視覚的に知覚できる。第１、第２、及び／又は第３の部分情報アイテム、又は真偽情報アイテムは、好ましくは、視覚的に知覚可能な情報アイテムである。部分情報アイテム又は真偽情報アイテムは、特に好ましくは、さらなる補助器具を用いずに肉眼で識別できるように構成される。
【０１１８】
真偽情報アイテム２を製造する方法を、以下でより詳細に説明する：最初の整列工程では、２つの部分要素６，８を上下に配置し、互いに対して整列させる。よって、第１の部分要素６は第２の部分要素８と整列させた位置に配置され、逆も同じである。整列工程に続く固定工程において、２つの整列させた部分要素６，８は、それらの整列させた位置で、互いに対し固定される。相対的な移動はもはや不可能である。この固定工程の後に続くのは、少なくとも１つの処理手段Ｂを用いる処理工程である。処理手段Ｂは、電磁波Ｗ１，Ｗ２，Ｗ３，Ｗ４を提供するために用いられ、第１の部分情報アイテム７と第２の部分情報アイテム８がこの電磁波Ｗ１，Ｗ２，Ｗ３，Ｗ４を用いて製造される。２つの部分要素６，８の処理は、同じ固定中に同じ側から行われる。互いに対し固定される２つの部分要素６，８の位置は変える必要がない。
【０１１９】
前記電磁波を用いて、２つの部分要素の一方、この場合部分要素６を直接的に処理し、２つの部分要素の他方、この場合第２の部分要素８を、前記一方の部分要素６を通して間接的に処理する。言い換えると、部分要素６は、この場合、部分要素８よりも処理手段Ｂの近くに置かれており、処理手段Ｂによって直接的に処理される。部分要素６の下に置かれる部分要素８は、部分要素６を通して処理される。ここで、電磁波は部分要素６を貫通し、その後部分要素８を処理する。同様に、処理手段Ｂの処理パラメータを、両部分要素６，８が同時に処理されるように、つまり両部分要素が同時に視覚的に知覚可能に変えることができるように、設定することができる。
【０１２０】
この共通の処理は、この後重ねられると前記真偽情報アイテム２を形成する、第１の部分情報アイテム７と第２の部分情報アイテム９を、一度のセットアップで処理でき、その結果、部分情報アイテム７，９が互いに対し非常に正確に整列されるように製造できる点が有利である。
【０１２１】
２つの部分要素６，８は、処理手段Ｂにより排他的且つ即時に処理される。ここで、複数の処理手段Ｂを設けることができる。しかしながら、部分要素６から、例えば、粒子等のパーツが、部分要素８にぶつかって部分要素８を処理することはない。製造時の２つの部分要素６，８の間の相互作用は、電磁波Ｗ１，Ｗ２，Ｗ３，Ｗ４の貫通を除いて、起こらない。
【０１２２】
電磁波Ｗ１，Ｗ２，Ｗ３，Ｗ４に関して、処理手段Ｂに近い方の部分要素６は、少なくとも部分要素６の処理前は、電磁波Ｗ１，Ｗ２，Ｗ３，Ｗ４が透過する又は電磁波に対して透明である。処理手段に近い方の部分要素６は、通常処理後、黒化されるか、そうでなければ変化させられ、前記透過性又は透明性を損な割れる又は損なわれる可能性がある。これは、部分要素６を貫通し、対応して部分要素８を処理する電磁波Ｗ２からよく分かる。
【０１２３】
さらに、特に、電磁波Ｗ４と関連する図９の最も右側では、両部分要素６，８が同時にすなわち一緒に処理できることが分かる。
【０１２４】
処理手段Ｂを用いた処理中、前記電磁波Ｗ１，Ｗ２，Ｗ３，Ｗ４の少なくとも１つの処理パラメータを変えることができる、具体的には、第１の部分要素６及び／又は第２の部分要素８が処理可能なように変えることができる。処理パラメータを変えることによって、第１の部分要素６及び／又は第２の部分要素８に対応して向けて処理することができる。これにより、例えば、第１の部分要素６又は第２の部分要素８のどちらかだけ、又は、部分要素６，８両方を一緒に処理することが可能となる。第１の部分要素６だけの処理は、電磁波Ｗ１によって示され、第２の部分要素８の処理は、電磁波Ｗ２によって示される。
【０１２５】
変えることのできる操作パラメータは好ましくは以下からなる群から選ばれる：
−強度又は出力；又は
−フルエンス又はパルスエネルギー；又は
−焦点位置；又は
−焦点径；又は
−波長；又は
−強度と焦点位置の組み合わせ；又は
−強度と波長の組み合わせ；又は
−焦点位置と波長の組み合わせ；又は
−強度と焦点位置と波長の組み合わせ；又は
−フルエンスと焦点位置の組み合わせ；又は
−フルエンスと波長の組み合わせ；又は
−フルエンスと焦点位置と波長の組み合わせ。
【０１２６】
上記操作パラメータの強度を変えると、処理手段Ｂが提供する電磁波Ｗ１，Ｗ２，Ｗ３，Ｗ４の強度が変わり、その結果、部分要素６，８のそれぞれを標的にすることができる。操作パラメータの焦点位置を変えると、処理手段Ｂが提供する電磁波Ｗ１，Ｗ２，Ｗ３，Ｗ４の焦点位置が変わり、その結果、部分要素６，８のそれぞれを標的にすることができる。最後に、操作パラメータの波長において、処理手段Ｂが提供する電磁波Ｗ１，Ｗ２，Ｗ３，Ｗ４の波長が変えられ、その結果、やはり部分要素６，８のそれぞれを標的にすることができる。ＵＶ領域から赤外領域に広がる、固体レーザーによって発生される波長が好ましい。少なくとも、１つの処理手段に対しては、約１０００ｎｍ〜約１２００ｎｍの近赤外領域の波長が特に好ましい。
【０１２７】
個々の部分要素６，８の厚みに応じて、前記操作パラメータを、部分要素６，８の厚み全体を処理するのでなく、全厚みの一部の領域だけを処理するように適合させて、その結果三次元効果を得ることもできる。これは、処理パラメータを好ましくは、第１の部分要素６の上側２２と第２の部分要素８の下側２３との間の各位置を標的にすることができるように変えることが可能であることが好ましいことを意味する。好ましくは、上側２２と下側２３も、それに応じて標的にすることができ、それ故、上側２２と下側２３は、上側２２と下側２３の間の領域に含まれる。部分要素６，８の構成に応じて、部分要素内又は部分要素６，８の表面上の位置を処理することができる。
【０１２８】
部分要素６，８の表面に、引用符号２２，２３，２５及び２６を付す。前記表面２２，２３，２５及び２６を処理手段Ｂで処理できる。
【０１２９】
処理手段Ｂの電磁波は、各部分要素６，８の処理中、鏡等の光学装置によって、部分要素６，８の上を、表面２２，２３，２５及び１６に対して動かされる。これは、電磁波が各表面の上を導かれることを意味する。これは、部分要素６，８の、部分情報アイテム７，９が製造されるべき領域を、処理手段Ｂの電磁波が横断することを意味する。波動伝搬方向を固定する場合、部分要素６，８上の部分的に拡張された領域を処理するために、処理手段Ｂの位置をこの領域に対し相対的に動かすこともできる。あるいは、処理手段Ｂを固定する場合、部分要素６，８を処理手段に対して動かすこともできる。
【０１３０】
この場合、部分情報アイテムの拡張領域を、処理手段Ｂの電磁波が様々な方法で横断することができる。第１の好ましい変形では、処理手段Ｂの電磁波を、各部分要素６，８の表面に平行に、部分情報アイテム７，９の拡張領域にわたって体系的に横断させて、前記処理パラメータの少なくとも１つをこの横断中に変化させる。その結果、対応する部分要素６，８上の部分情報アイテムを１つのパスで製造できる。
【０１３１】
代替の、しかしながら同様に好ましい変形において、部分情報アイテム７，９の拡張領域を、少なくとも２つのパスで、処理手段Ｂの電磁波が体系的に横断する。この場合、前記処理パラメータの少なくとも１つは、それぞれのパスの前に変えられる。これは、少なくとも１つの処理パラメータを、各パスの開始時に設定し、その後次のパスの開始前に対応して変える。しかしながら、処理パラメータを横断中に変えることも考えられる。
【０１３２】
本発明の第１の好ましい実施形態において、ちょうど１つの処理手段Ｂが存在し、これの処理パラメータを上記に従って設定する又は変えることができる。
【０１３３】
第２の好ましい実施形態において、少なくとも１つの第１の処理手段Ｂと少なくとも１つの第２の処理手段が存在し、これらが前記電磁波を提供する。しかしながら、２つより多い処理手段が存在してもよい。第１の処理手段Ｂの処理パラメータは、好ましくは、第２の処理手段の処理パラメータとは異なる。
【０１３４】
複数の処理手段において、部分情報アイテムの拡張領域を、各部分要素６，８の表面２２，２３に平行に１つのパスで処理手段が体系的に横断し、処理手段Ｂのそれぞれが、横断中、作動されたり及び／又は動作を停止されたりする。この場合、少なくとも１つの処理パラメータを対応して変化させることもできる。
【０１３５】
あるいは、部分情報アイテムの拡張領域を、各部分要素６，８の表面に平行に、処理手段Ｂが複数のパスで横断することができる。パスごとに、複数の処理手段Ｂの１つが作動され、これ以外の処理手段Ｂはこのパス中動作を止められる。処理パラメータは固定としても、パスごとに変えてもよい。
【０１３６】
処理中、２つの部分要素６，８は、図９から分かるように、互いに直接表面接触している。表面接触とは、２つの部分要素６，８の間に何の要素も配置されないことを意味する。
【０１３７】
あるいは、図１０から分かるように、整列工程前又は整列工程中に、２つの部分要素６，８の間に分離フィルム２４が挿入される。２つの表面２５，２６は、このとき、前記分離フィルム２４と接触している。
【０１３８】
分離フィルム２４は、第１の部分要素６に面する側及び／又は第２の部分要素８に面する側に、接着層を設けることができる。各部分要素６，８の処理中に除去される粒子はこの接着層に付着することができる。
【０１３９】
あるいは又は付加的に、分離フィルム２４は、インク用のキャリアとして機能することもでき、インクは、処理手段Ｂでの処理によって分離フィルム２４から剥離され、第１及び／又は第２の部分要素に付着する。
【０１４０】
処理手段Ｂの電磁波Ｗ１，Ｗ２，Ｗ３，Ｗ４に対する第１の部分要素６の応答挙動は、第２の部分要素８の応答挙動とは異なる。処理パラメータに関して、これは、既定の処理パラメータ設定に対する第１の部分要素６の応答挙動は、同じ処理パラメータ設定に対する第２の部分要素８の応答挙動とは異なることを意味する。この異なる応答挙動のために、第１の部分要素６と第２の部分要素８は、同じ処理パラメータでの処理で異なる結果をもたらすことができる。例えば、第１の部分要素６の色を変え、第２の部分要素８は処理しない。同様に、処理パラメータの特定の組み合わせで、両部分要素６，８を同時に処理することもできる。
【０１４１】
好ましくは、第１の部分要素６はプラスチック製か、又は異なるプラスチックからなる複数の層で作られる。好適なプラスチックは、特に、ポリカーボネート（ＰＣ）、ポリ塩化ビニル（ＰＶＣ）、グリコール変性ポリエチレンテレフタレート（ＰＥＴ−Ｇ）、又はポリエチレンテレフタレート（ＰＥＴ）である。
【０１４２】
第２の部分要素８は、好ましくは、紙基材、特にセキュリティペーパーであり、プラスチックと紙基材の両方を、処理手段Ｂによって視覚的に知覚可能に変えることができる。１つの好ましい実施形態において、インク層及び／又はスタンピングフォイル層を紙基材に被着する。処理手段での処理中、インク層を備えた紙基材、又はスタンピングフォイル層を備えた紙基材は、それによって対応して視覚的に知覚可能に変えられる。例えば、レーザー処理により、色の変化が生じたり、又は層が除去されたりする。処理手段Ｂは、好ましくは前記電磁波Ｗ１，Ｗ２，Ｗ３，Ｗ４を提供するレーザーである。
【符号の説明】
【０１４３】
１        セキュリティ要素
２        真偽情報アイテム
３        第１の担体部分
４        第２の担体部分
５        第３の担体部分
６        第１の部分要素
７        第１の部分情報アイテム
８        第２の部分要素
９        第２の部分情報アイテム
１０      第３の部分要素
１１      第３の部分情報アイテム
１２      真偽情報アイテム
１３      透明又は半透明領域
１４      窓
１５      外周線
１６      身元確認書類
１７      第１ページ
１８      第２ページ
１９      第３ページ
２０      接合部
２１      不透明／半不透明領域
２２      上側
２３      下側
２４      分離フィルム
Ｂ        処理手段
【図１】
0006622225.tif 000002
【図２】
0006622225.tif 000003
【図３】
0006622225.tif 000004
【図４】
0006622225.tif 000005
【図５】
0006622225.tif 000006
【図６】
0006622225.tif 000007
【図７】
0006622225.tif 000008
【図８ａ】
0006622225.tif 000009
【図８ｂ】
0006622225.tif 000010
【図８ｃ】
0006622225.tif 000011
【図８ｄ】
0006622225.tif 000012
【図９】
0006622225.tif 000013
【図１０】
0006622225.tif 000014